(57)【要約】【課題】接着剤部に亀裂が発生しても、樹脂製ガイドが砥粒層および砥石コアより剥がれないようにしたセンタレス研削用砥石を提供する。【解決手段】円筒状の砥石コア１１の外周に、ダイヤモンド砥粒あるいはＣＢＮ砥粒からなる砥粒層１３を取付け、砥粒層１３の軸線方向の端部に、円環状の樹脂製ガイド１５（１６）を接着剤１４ｂ（１４ｃ）によって砥粒層１３および砥石コア１１の側面に取付け、樹脂製ガイド１５（１６）の内周に円環状のガイド飛び出し防止部材１７（１８）を砥石コア１１に一体的に取付け、樹脂製ガイド１５（１６）がガイド飛び出し防止部材１７（１８）に対して砥石コア１１より離れる方向に移動しないように、樹脂製ガイド１５（１６）とガイド飛び出し防止部材１７（１８）とを円錐面１５ａ、１７ａ（１６ａ、１８ａ）によって互いに接合させた。【選択図】図１
2015171738.tif 000002
【特許請求の範囲】
【請求項１】
円筒状の砥石コアの外周に、ダイヤモンド砥粒あるいはＣＢＮ砥粒からなる砥粒層を取付け、
前記砥粒層の軸線方向の端部に、円環状の樹脂製ガイドを接着剤によって前記砥粒層および前記砥石コアの側面に取付け、
前記樹脂製ガイドの内周に金属製の円環状のガイド飛び出し防止部材を前記砥石コアに一体的に取付け、
前記樹脂製ガイドが前記ガイド飛び出し防止部材に対して前記砥石コアより離れる方向に移動しないように、前記樹脂製ガイドと前記ガイド飛び出し防止部材とを円錐面によって互いに接合させた、
ことを特徴とするセンタレス研削用砥石。
【請求項２】
前記樹脂製ガイドおよび前記ガイド飛び出し防止部材は、前記砥粒層の両端部に取付けられた請求項１に記載のセンタレス研削用砥石。
【請求項３】
前記砥石コアは、ＷＡ砥石、ＧＣ砥石からなる請求項１または請求項２に記載のセンタレス研削用砥石。
【請求項４】
前記砥石コアの全表面を接着剤によって被覆した請求項１ないし請求項３のいずれか１項に記載のセンタレス研削用砥石。
【請求項５】
前記樹脂製ガイドと前記ガイド飛び出し防止部材を、インサート成形によって一体成形した請求項１ないし請求項４のいずれか１項に記載のセンタレス研削用砥石。
【発明の詳細な説明】
【技術分野】
【０００１】
本発明は、砥粒層の端部に樹脂製ガイドを取付けたセンタレス研削用砥石に関するものである。
【背景技術】
【０００２】
センタレス研削盤に用いる研削用砥石においては、例えば、特許文献１に記載されているように、砥粒層の両端部に樹脂製ガイドが取付けられる。この樹脂製ガイドによって、被削材が、研削用砥石と調整砥石との間に送り込まれる際、および研削用砥石と調整砥石との間より送り出される際の被削材のばたつきを抑制して、被削材の挙動を安定化させ、研削用砥石の局所的な摩耗や、送りマークの発生等を抑制するようになっている。
【先行技術文献】
【特許文献】
【０００３】
【特許文献１】特開２００３−２６０６６８号公報
【発明の概要】
【発明が解決しようとする課題】
【０００４】
この種のセンタレス研削盤に用いる研削用砥石においては、一般に、樹脂製ガイドが、接着剤によって砥粒層および砥石コアの側面に取付けられているが、使用につれて接着剤部に亀裂が発生すると、樹脂製ガイドが砥粒層および砥石コアより剥がれて、被削材の挙動安定化作用を維持できなくなる問題がある。
【０００５】
本発明は、上述した従来の問題に鑑みてなされたもので、接着剤部に亀裂が発生しても、樹脂製ガイドが砥粒層および砥石コアより剥がれないようにしたセンタレス研削用砥石を提供することを目的とするものである。
【課題を解決するための手段】
【０００６】
上記の課題を解決するため、請求項１に係る発明の特徴は、円筒状の砥石コアの外周に、ダイヤモンド砥粒あるいはＣＢＮ砥粒からなる砥粒層を取付け、前記砥粒層の軸線方向の端部に、円環状の樹脂製ガイドを接着剤によって前記砥粒層および前記砥石コアの側面に取付け、前記樹脂製ガイドの内周に円環状のガイド飛び出し防止部材を前記砥石コアに一体的に取付け、前記樹脂製ガイドが前記ガイド飛び出し防止部材に対して前記砥石コアより離れる方向に移動しないように、前記樹脂製ガイドと前記ガイド飛び出し防止部材とを円錐面によって互いに接合させたセンタレス研削用砥石である。
【０００７】
請求項１に係る発明によれば、樹脂製ガイドが、砥粒層の端部に、接着剤のみならず、ガイド飛び出し防止部材との機械的構造によって飛び出しを防止されているので、長期の使用により、樹脂製ガイドを接着する接着剤に亀裂等が発生しても、樹脂製ガイドが砥粒層および砥石コアより剥がれることがない。
【０００８】
請求項２に係る発明の特徴は、前記樹脂製ガイドおよび前記ガイド飛び出し防止部材は、前記砥粒層および前記砥石コアの両端部に取付けられた請求項１に記載のセンタレス研削用砥石である。
【０００９】
請求項２に係る発明によれば、被削材がセンタレス研削盤の研削用砥石と調整砥石との間に送り込まれる際、および、研削用砥石と調整砥石との間より送り出される際に、被削材の挙動を安定化させることができ、研削用砥石の異常摩耗や、被削材への送りマーク等の発生を抑制することができる。
【００１０】
請求項３に係る発明の特徴は、前記砥石コアは、ＷＡ砥石、ＧＣ砥石からなる請求項１または請求項２に記載のセンタレス研削用砥石である。
【００１１】
請求項３に係る発明によれば、砥石コアの軽量化が可能になるとともに、熱膨張を抑制することができる。
【００１２】
請求項４に係る発明の特徴は、前記砥石コアの全表面を接着剤によって被覆した請求項１ないし請求項３のいずれか１項に記載のセンタレス研削用砥石である。
【００１３】
請求項４に係る発明によれば、砥石コアの全表面を被覆した接着剤によって、砥石コア内への水（クーラント）の浸入を防止することができる。
【００１４】
請求項５に係る発明の特徴は、前記樹脂製ガイドと前記ガイド飛び出し防止部材を、インサート成形によって一体成形した請求項１ないし請求項４のいずれか１項に記載のセンタレス研削用砥石である。
【００１５】
請求項５に係る発明によれば、インサート成形によって、樹脂製ガイドと金属製のガイド飛び出し防止部材を一体化でき、樹脂製ガイドの組付けを容易にすることができる。
【図面の簡単な説明】
【００１６】
【図１】本発明の実施の形態を示すセンタレス研削用砥石の断面図である。
【図２】センタレス研削状態を示す図である。
【発明を実施するための形態】
【００１７】
以下本発明の実施の形態を図面に基づいて説明する。図１は、本実施の形態に係るセンタレス研削用砥石１０を示すもので、当該センタレス研削用砥石１０は、円筒状の砥石コア１１を備え、砥石コア１１の中心部に、後述するセンタレス研削盤の回転軸に嵌合する取付穴１２が形成されている。
【００１８】
砥石コア１１は、軽量で熱膨張の小さなものが好ましく、例えば、アルミナ（Ａｌ２Ｏ３）の粉体を焼結したＷＡ砥石や、炭化ケイ素（ＳｉＣ）の粉体を焼結したＧＣ砥石等が好適である。
【００１９】
砥石コア１１の外周には、ダイヤモンド砥粒やＣＢＮ砥粒等の超砥粒を結合剤によって結合した環状の砥粒層１３が、接着剤１４ａによって固定されている。砥粒層１３は、砥石コア１１と軸線方向長さを同じに製作され、砥粒層１３の側面と砥石コア１１の側面とが面一となるように、砥石コア１１に固定される。
【００２０】
砥石コア１１および砥粒層１３の軸線方向の両端部には、円環状の樹脂製ガイド１５、１６が、砥石コア１１および砥粒層１３の両端面に塗布した接着剤１４ｂ、１４ｃによって固定されるようになっている。
【００２１】
樹脂製ガイド１５、１６の内周には、円錐面１５ａ、１６ａが互いに反対向きに形成されている。すなわち、円錐面１５ａ、１６ａは、砥石コア１１の各側面に向かって径が縮小するように形成されている。
【００２２】
樹脂製ガイド１５、１６の径方向の内方には、ガイド飛び出し防止部材としての円環状の飛び出し防止リング１７、１８の外周が嵌合され、飛び出し防止リング１７、１８は、砥石コア１１の両端部に接着剤１４ｂ、１４ｃを介して固定される。飛び出し防止リング１７、１８は、金属（例えば、鉄）からなっている。
【００２３】
飛び出し防止リング１７、１８の外周には、樹脂製ガイド１５、１６に形成した円錐面１５ａ、１６ａに面接触する円錐面１７ａ、１８ａが形成されている。すなわち、円錐面１７ａ、１８ａは、砥石コア１１の各側面に向かって径が縮小するように形成されている。
【００２４】
飛び出し防止リング１７、１８は、砥石コア１１とともに、センタレス研削盤の回転軸２０に嵌合され、回転軸２０に形成した大径鍔部２０ａ、２０ｂによって軸線方向移動を規制され、回転軸２０上に一体的に取付けられる。
【００２５】
これにより、円錐面１５ａ、１６ａおよび円錐面１７ａ、１８ａによって飛び出し防止リング１７、１８の外周に面接触される樹脂製ガイド１５、１６は、砥粒層１３の両端面から離れる方向の移動を規制される。従って、樹脂製ガイド１５、１６を接着する接着剤１４ｂ、１４ｃに亀裂が発生しても、樹脂製ガイド１５、１６が砥粒層１３および砥石コア１１の側面より剥がれることがない。
【００２６】
樹脂製ガイド１５は、飛び出し防止リング１９にインサート成形によって一体成形される。同様に、樹脂製ガイド１６は、飛び出し防止リング２０にインサート成形によって一体成形される。
【００２７】
砥石コア１１の内周には、接着剤１４ｄが塗布されている。砥石コア１１は、接着剤１４ａ、１４ｂ、１４ｃ、１４ｄによって全表面をすべて覆われている。接着剤１４ａ〜１４ｄは、防水機能を有するエポキシ樹脂からなり、砥石コア１１の内部への水（クーラント）の浸入を防止する。
【００２８】
上記したように構成された本実施の形態に係るセンタレス研削用砥石１０を、センタレス研削盤の回転軸２０に取付けるに当たり、予め、砥石コア１１の外周に砥粒層１３が接着剤１４ａによって固定される。また、飛び出し防止リング１７、１８の外周（円錐面１７ａ、１８ａ）に、樹脂製ガイド１５、１６がそれぞれインサート成形によって一体成形される。
【００２９】
しかる後、砥石コア１１の内周に回転軸２０が貫通されるとともに、砥石コア１１の両端部に、一体成形された樹脂製ガイド１５、１６および飛び出し防止リング１７、１８が挿通される。樹脂製ガイド１５、１６および飛び出し防止リング１７、１８は、接着剤１４ｂ、１４ｃによって砥石コア１１の両側面に固定される。
【００３０】
そして、砥石コア１１の両端に配置された飛び出し防止リング１７、１８が、回転軸２０に設けた大径鍔部２０ａ、２０ｂによって挟持される。これにより、砥石コア１１および飛び出し防止リング１７、１８が、回転軸２０に対し一体に取付けられる。
【００３１】
なお、センタレス研削用砥石１０が、センタレス研削盤の回転軸２０上に取付けられると、図略のツルーイング装置によって、砥粒層１３の外周面がツルーイングされる。この際、ツルーイング装置によって、砥粒層１３の両端部に取付けられた樹脂製ガイド１５、１６の外周も、砥粒層１３の外周面と面一に成形される。
【００３２】
本実施の形態に係るセンタレス研削用砥石１０を備えたセンタレス研削盤は、図２に示すように、センタレス研削用砥石１０と調整砥石２１が矢印方向に回転された状態で、丸棒あるいはテーパころからなる被削材Ｗが、図略の案内プレートに案内されて、センタレス研削用砥石１０と調整砥石２１との間に配設された支持刃２２上に送り込まれる。被削材Ｗは、センタレス研削用砥石１０の回転軸線方向に搬送されながら、センタレス研削用砥石１０と調整砥石２１との間で挟圧されて、軸心回りに回転され、センタレス研削用砥石１０の砥粒層１３によって研削加工される。
【００３３】
本実施の形態においては、砥粒層１３の両端部に樹脂製ガイド１５、１６が取付けられているので、被削材Ｗが研削用砥石１０と調整砥石２１との間に送り込まれる際に、入口側に配置した樹脂製ガイド１５によって、被削材Ｗのばたつきが抑制され、被削材Ｗの挙動を安定化させることができる。これによって、研削用砥石１０の端面の異常摩耗や欠損の発生を抑止することができる。また、被削材Ｗが研削用砥石１０と調整砥石２１との間より送り出される際においても、出口側に配置した樹脂製ガイド１６によって、被削材Ｗの挙動が安定化され、被削材Ｗに送りマーク等が発生することがない。
【００３４】
しかも、本実施の形態においては、樹脂製ガイド１５、１６が、砥粒層１３の両端部に、接着剤１４ｂ、１４ｃのみならず、飛び出し防止リング１７、１８との機械的構造によって飛び出しを防止されている。すなわち、樹脂製ガイド１５、１６は、飛び出し防止リング１７、１８と円錐面１５ａ、１６ａ、１７ａ、１８ａを介して接合され、飛び出し防止リング１７、１８に対して砥石コア１１の側面より離れる方向の移動を規制されている。
【００３５】
従って、長期の使用により、仮に樹脂製ガイド１５、１６を接着する接着剤１４ｂ、１４ｃに亀裂等が発生しても、樹脂製ガイド１５、１６が砥粒層１３および砥石コア１１より剥がれることがない。それゆえ、樹脂製ガイド１５、１６による被削材Ｗの挙動安定化効果を、長期に亘って維持することができる。
【００３６】
上記した実施の形態においては、樹脂製ガイド１５、１６を砥粒層１３の両側に取付けた例について述べたが、樹脂製ガイドを砥粒層１３の一方の側面にのみ取付けることもできる。すなわち、本発明のセンタレス研削用砥石１０は、樹脂製ガイドは、砥粒層１３の少なくとも一方の側面に取付けるものであればよい。
【００３７】
また、上記した実施の形態においては、樹脂製ガイド１５、１６と飛び出し防止リング１７、１８を、インサート成形によって一体成形した例について述べたが、樹脂製ガイド１５、１６と飛び出し防止リング１７、１８を別々に製作して、組付け時に、各円錐面１５ａ、１６ａ、１７ａ、１８ａを単に接合あるいは接着剤を介して接合するようにしてもよい。
【００３８】
以上、本発明を実施の形態に即して説明したが、本発明は実施の形態で述べた構成に限定されることなく、特許請求の範囲に記載された本発明の主旨を逸脱しない範囲で種々の態様を採り得るものであることは勿論である。
【符号の説明】
【００３９】
１０…センタレス研削用砥石、１１…砥石コア、１３…砥粒層、１４ａ〜１４ｄ…接着剤、１５、１６…樹脂製ガイド、１５ａ、１６ａ…円錐面、１７、１８…ガイド飛び出し防止部材、１７ａ、１８ａ…円錐面、２０…回転軸、Ｗ…被削材。
【図１】
2015171738.tif 000003
【図２】
2015171738.tif 000004